(57)【要約】      （修正有）【課題】ＡＶ複合機において、光素子に外光の影響が及ぶことを防ぐための遮光板をファンと一体化することによって、組立コストの低減化を図る。光学的ディスク装置に筐体内の気流を多く作用させることを可能にする。【解決手段】磁気テープ装置Ａと光学的ディスク装置Ｂとを１つの筐体１内に横並びに収容する。光センサーを構成している光素子３を磁気テープ装置Ａと光学的ディスク装置Ｂとの相互間スペースＳに設置する。光素子３の後方に排気用のファン４が位置している。ファンホルダー４と遮光板６とを一体化してある。遮光板６が前板部６１と上下の板部とを有する。【選択図】図１
0003129825.tif 000002
【実用新案登録請求の範囲】
【請求項１】
磁気テープが使用対象である磁気テープ装置とディスクが使用対象である光学的ディスク装置とを１つの筐体内に横並びに収容しているＡＶ装置において、
上記筐体内に上記磁気テープ装置の制御に用いられる光センサーを構成している光素子が上記磁気テープ装置と上記光学的ディスク装置との相互間スペースに設置され、その光素子の後方に位置して上記筐体の背壁に具備されている通気口を通過する気流を上記筐体内で発生させるための排気用のファンが、上記筐体の背壁に取り付けられて上記磁気テープ装置の後方と上記光学的ディスク装置の後方との相互間に亘る横幅を有するファンホルダーと、そのファンホルダーに具備されて上記光素子側に向く空気流通口に配備されたインペラとを備えていて、
上記ファンホルダーの磁気テープ装置側の端部から延び出て上記光素子と上記空気流通口との対向空間を横切る円弧状に曲がった前板部とこの前板部とファンホルダーとの間に形成される空気流通路の上方と下方とを塞ぐ上下の板部とにより形成されたフード形の遮光板が追加されていて、その遮光板の上記前板部が上記通気口及び上記空気流通口を通過した外光を遮断して上記光素子にその外光が到達することを阻止するようになっていて、上記前板部の端部と上下の上記板部の端部と上記ファンホルダーの前面とにより囲まれた開口でなる気流吸込口が上記光学的ディスク装置の後端部に向けて開口されていることを特徴とするＡＶ複合機。
【請求項２】
磁気テープが使用対象である磁気テープ装置とディスクが使用対象である光学的ディスク装置とを１つの筐体内に横並びに収容しているＡＶ装置において、
上記筐体内に上記磁気テープ装置の制御に用いられる光センサーを構成している光素子が設置され、その光素子の後方に位置して上記筐体の背壁に具備されている通気口を通過する気流を上記筐体内で発生させるためのファンが、上記筐体の背壁に取り付けられたファンホルダーとそのファンホルダーに具備されて上記光素子側に向く空気流通口に配備されたインペラとを備え、上記通気口及び上記空気流通口を通過した外光を遮断して上記光素子にその外光が到達することを阻止する遮光板を上記ファンホルダーに具備させてその遮光板とファンホルダーとの間に上記通気口及び上記空気流通口に連通する空気流通路を形成してあることを特徴とするＡＶ複合機。
【請求項３】
上記光素子が、上記磁気テープ装置と上記光学的ディスク装置との相互間スペースに設置されていて、上記遮光板が、上記磁気テープ装置の後方と上記光学的ディスク装置の後方との相互間に亘る横幅を有する上記ファンホルダーの磁気テープ装置側の端部から延び出て上記光素子と上記空気流通口との対向空間を横切る円弧状に曲がった前板部を有し、かつ、上記空気流通路が上記光学的ディスク装置の後端部に向けて開口されている請求項２に記載したＡＶ複合機。
【請求項４】
上記遮光板が、上記前板部とファンホルダーとの間に形成されている上記空気流通路の上方と下方とを塞ぐ上下の板部を有している請求項３に記載したＡＶ複合機。
【考案の詳細な説明】
【技術分野】
【０００１】
本考案は、音声や画像などの処理機能を備えたＡＶ複合機（オーディオビジュアル複合機）、具体的には、磁気テープ装置と光学的ディスク装置とを１つの筐体内に横並びに収容しているＡＶ装置に関する。
【背景技術】
【０００２】
磁気テープ装置は、カセットから引き出された磁気テープなどの記録媒体を磁気ヘッドにより処理して音声情報や画像情報を書き込んだり読み取ったりする機能を備えているのに対し、光学的ディスク装置は、ディスクなどの記録媒体を光学的に処理して音声情報や画像情報を書き込んだり読み取ったりする機能を備えている。
【０００３】
近時、これらの磁気テープ装置と光学的ディスク装置とを共通の筐体内に収容したＡＶ複合機の普及が著しい。このような背景のもとで、ＡＶ複合機では、その薄形化コンパクト化を図ることの要請が強く、そのために、筐体内での磁気テープ装置と光学的ディスク装置とのレイアウトやその他の必要部品のレイアウトに多くの制約があるのが現状である。
【０００４】
図８には従来例としてのＡＶ機器における筐体１内での磁気テープ装置Ａと光学的ディスク装置Ｂとのレイアウトを説明的に例示してある。この事例では、磁気テープ装置Ａと光学的ディスク装置Ｂとが偏平な箱形の筐体１内に横並びに設置されている。
【０００５】
そして、記録媒体としての磁気テープを収容しているカセットＣが出し入れされる磁気テープ装置Ａでは、装置内でのカセットＣの有無が、カセット収容スペースを挟んでその両側に設置された一対の光素子２，３でなる光センサーによって検出されるようになっていて、そのうちの一方の光素子３が、横並びに配置されている磁気テープ装置Ａと光学的ディスク装置Ｂとの相互間スペースＳに位置している。これに対し、光学的ディスク装置Ｂは、記録媒体としてのディスクが出し入れされるようになっていて、装置内に挿入されたディスクを光学的に処理する光ピックアップやその制御基板を備えている。この種の光学的ディスク装置Ｂにおいて、光ピックアップやＩＣを搭載した制御基板の過度の発熱を抑えるための対策として筐体内に気流を発生させるという方法を採用したものでは、筐体１に排気用のファン４を取り付けたものが知られている。このファン４には、ファンホルダーとそのファンホルダーの空気流通口に配備されたインペラと駆動モータとを一体的に備えたユニット型のものが多用されていて、一般的には、ファンホルダーが筐体１の背壁１２にビス止めされている。また、起立姿勢の電源基板５１を備えた基板カバー５が、光学的ディスク装置Ｂの背部で上記ファン４に隣接して筐体１の上記背壁１２に取り付けられている。
【０００６】
図８を参照して説明したＡＶ複合機において、ファン４は、基板カバー５による配置位置などの制約を受けて筐体１の背壁１２の幅方向略中央部に位置しているのに対し、そのファン４の前方には、磁気テープ装置Ａと光学的ディスク装置Ｂとの相互間スペースＳが位置していると共に、その相互間スペースＳには上記したように光センサーを形成している一方側の光素子３が配置されている。そのため、光素子３に一定の光指向性があるとしても、ファン４の取付け箇所で筐体１の背壁１２に具備されている通気孔（不図示）とファンホルダーの空気流通口（不図示）とを通過した外光が矢印Ｐのように上記相互間スペースＳに入って光素子３に到達するということがあり得る。そして、光素子３が受光素子である場合において、外光がその光素子３に到達すると、光素子３の感度によっては光素子３がその外光に感応し、カセットＣが装置内に挿入されているにもかかわらず挿入されていないような制御信号を出力するといった誤動作を起こす可能性がある。
【０００７】
そこで、従来は、図８のように、ポリカーボネート（ＰＣ）のような樹脂板を上記相互間スペースＳに立てて遮光板６としていた。こうしておくと、上記した通気孔と空気流通口とを外光が通過して筐体１内に入っても、その外光が遮光板６により遮られて光素子３に到達することを阻止されるので、光素子３が、上記通気口や空気流通口を通過した外光の影響を受けて誤動作を起こす余地がなくなる。
【０００８】
一方、従来より、テープデッキにおける外光遮断構造として、光素子の直近位置でその外側に遮光板を立てることが提案されていた（たとえば、特許文献１参照）。また、フォトトランジスタの遮光構造にも同様のものがあった（たとえば、特許文献２参照）。さらに記録再生装置において、テープエンド検出の誤動作を防ぐために、発光素子の下部を囲うように堤状の遮蔽部材８を設けることも提案されていた（たとえば、特許文献３参照）。
【特許文献１】特開２０００−２１５５４８号公報
【特許文献２】特開平１１−２３２７３１号公報
【特許文献３】特開平１１−２２４４５号公報
【考案の開示】
【考案が解決しようとする課題】
【０００９】
しかしながら、図８を参照して説明した樹脂板でなる遮光板６を用いると、遮光のための専用部品としての遮光板６が必要になるだけでなく、その遮光板６をシャーシなどに取り付ける工程とファン４などの他の部品を取り付ける工程とが別々の組立工程になって組立工数の増加によるコストアップを避けることができない。
【００１０】
本考案は以上の状況に鑑みてなされたものであり、光センサーを形成している光素子に外光の影響が及ぶことを防ぐための遮光板をファンと一体化することによって、外光に感応して光素子が誤作動するという事態を防止することと共に、遮光板を設けることに伴う組立工数の増加を来さないＡＶ複合機を提供することを目的とする。
【００１１】
また、本考案は、遮光板をファンと一体化することによって、発熱源となる制御基板を備えた光学的ディスク装置に、筐体内での気流を、より多く作用させることのできるＡＶ複合機を提供することを目的とする。
【課題を解決するための手段】
【００１２】
本考案に係るＡＶ複合機は、磁気テープが使用対象である磁気テープ装置とディスクが使用対象である光学的ディスク装置とを１つの筐体内に横並びに収容しているＡＶ装置において、上記筐体内に上記磁気テープ装置の制御に用いられる光センサーを構成している光素子が設置され、その光素子の後方に位置して上記筐体の背壁に具備されている通気口を通過する気流を上記筐体内で発生させるためのファンが、上記筐体の背壁に取り付けられたファンホルダーとそのファンホルダーに具備されて上記光素子側に向く空気流通口に配備されたインペラとを備え、上記通気口及び上記空気流通口を通過した外光を遮断して上記光素子にその外光が到達することを阻止する遮光板を上記ファンホルダーに具備させてその遮光板とファンホルダーとの間に上記通気口及び上記空気流通口に連通する空気流通路を形成してある、というものである。
【００１３】
この構成であると、光センサーを形成している光素子に外光の影響が及ぶことを防ぐための遮光板がファンホルダーに具備されているため、遮光板がファンと一体化されて、遮光板を具備するファンを筐体の背壁に取り付けるだけで遮光板によって光素子に外光の影響が及ぶことを防ぐことができるようになり、しかも、遮光板をファンとは別個に取り付ける手間を省けるようになる。また、遮光板とファンホルダーとの間に上記通気口及び上記空気流通口に連通する空気流通路が形成されていることにより、筐体内の気流がその空気流通路を通過して筐体の内部と外部との間で流通するようになるので、筐体内の気流の方向性を定めやすくなり、その結果、発熱源となる制御基板を備えた光学的ディスク装置に、より多くの気流を作用させやすくなるという作用が奏される。
【００１４】
本考案では、上記光素子が、上記磁気テープ装置と上記光学的ディスク装置との相互間スペースに設置されていて、上記遮光板が、上記磁気テープ装置の後方と上記光学的ディスク装置の後方との相互間に亘る横幅を有する上記ファンホルダーの磁気テープ装置側の端部から延び出て上記光素子と上記空気流通口との対向空間を横切る円弧状に曲がった前板部を有し、かつ、上記空気流通路が上記光学的ディスク装置の後端部に向けて開口されていることが望ましい。これによれば、筐体内の気流が磁気テープ装置と光学的ディスク装置との相互間スペースの後部だけに遮光板が配置されて、その相互間スペースの前後方向中央部には配置されなくなるので、遮光板の設置スペースが狭くて済み、磁気テープ装置や光学的ディスク装置のレイアウトの自由度が増大するので、当該ＡＶ複合機の小形化及びコンパクト化を図る上で有益である。また、遮光板によって筐体内の前後方向中央部で気流が遮られなくなってそれだけ気流の流動性が向上するので、光学的ディスク装置の発熱源となる制御基板の発熱を抑える作用が向上する。
【００１５】
本考案では、上記遮光板が、上記前板部とファンホルダーとの間に形成されている上記空気流通路の上方と下方とを塞ぐ上下の板部を有していることが望ましい。これによれば、通気口及び空気流通口を通過した外光が遮光板の前板部だけでなく、上下の板部によっても遮られるので、その外光が筐体の上面などを反射して光素子に影響を及ぼすという事態も防止されて光素子の外光による誤作動がいっそう確実に防止されるという利点がある。しかも、遮光板によって形成される空気流通路が前板部と上下の板部とによって囲まれた通路によって形成されるために、筐体内の気流の方向性をいっそう定めやすくなって、発熱源となる制御基板を備えた光学的ディスク装置に、いっそう、より多くの気流を作用させやすくなるという作用が奏される。
【００１６】
本考案に係るＡＶ複合機は、磁気テープが使用対象である磁気テープ装置とディスクが使用対象である光学的ディスク装置とを１つの筐体内に横並びに収容しているＡＶ装置において、上記筐体内に上記磁気テープ装置の制御に用いられる光センサーを構成している光素子が上記磁気テープ装置と上記光学的ディスク装置との相互間スペースに設置され、その光素子の後方に位置して上記筐体の背壁に具備されている通気口を通過する気流を上記筐体内で発生させるための排気用のファンが、上記筐体の背壁に取り付けられて上記磁気テープ装置の後方と上記光学的ディスク装置の後方との相互間に亘る横幅を有するファンホルダーと、そのファンホルダーに具備されて上記光素子側に向く空気流通口に配備されたインペラとを備えていて、上記ファンホルダーの磁気テープ装置側の端部から延び出て上記光素子と上記空気流通口との対向空間を横切る円弧状に曲がった前板部とこの前板部とファンホルダーとの間に形成される空気流通路の上方と下方とを塞ぐ上下の板部とにより形成されたフード形の遮光板が追加されていて、その遮光板の上記前板部が上記通気口及び上記空気流通口を通過した外光を遮断して上記光素子にその外光が到達することを阻止するようになっていて、上記前板部の端部と上下の上記板部の端部と上記ファンホルダーの前面とにより囲まれた開口でなる気流吸込口が上記光学的ディスク装置の後端部に向けて開口されている、という構成を採用することによっていっそう具体化される。この考案の作用などについては、後述する実施形態を参照して詳細に説明する。
【考案の効果】
【００１７】
以上のように、本考案によれば、光センサーを形成している光素子に外光の影響が及ぶことを防ぐための遮光板がファンと一体化されているので、外光に感応して光素子が誤作動するという事態が防止されることは勿論、遮光板を設けても組立工数が増加しなくなって組立コストの低減化を図りやすくなる。また、光学的ディスク装置の発熱源となる制御基板に、筐体内の気流を、より多く作用させることができるようになり、制御基板の過度の発熱による性能低下や誤作動なども防止されるようになるという効果が奏される。
【考案を実施するための最良の形態】
【００１８】
図１は本考案に係るＡＶ機器に備わっている２機器Ａ，Ｂなどの平面レイアウトを示した説明図、図２はファンユニット７の一部破断平面図、図３はファンユニット７の正面図、図４は図１のＩＶ矢視拡大図である。なお、図１〜図４において、図８を参照して説明した要素と同一又は相応する要素には同一符号を付すこととする。
【００１９】
図１のように、この実施形態のＡＶ複合機は、磁気テープ装置Ａと光学的ディスク装置Ｂとが偏平な箱形の筐体１内に横並びに設置されている点、筐体１内でのそれら２つの装置Ａ，Ｂのレイアウトや、磁気テープ装置ＡでのカセットＣの有無を検出するための一対の光素子２，３でなる光センサーのレイアウトは、図８を参照して説明したところと同様である。また、光学的ディスク装置Ｂが光ピックアップや発熱源となるＩＣを搭載した制御基板を備えている点、その制御基板などの過度の発熱を抑えるための気流を筐体１内に発生させるためのファン４の筐体１内でのレイアウト、電源基板５１を備えた基板カバー５の筐体１内でのレイアウトなども、図８を参照して説明したところと同様である。
【００２０】
図２に示したファンユニット７は、上記したファン４と基板カバー５とが一体化されていることに加えて、遮光板６を一体に有している。さらに具体的に説明すると、ファン４は、樹脂成形体でなるファンホルダー４１と、そのファンホルダー４１の空気流通口４２に配備されたインペラ（不図示）と、インペラを回転させるための駆動モータ（不図示）とを備えていて、図１によって類推できるように、ファン４が筐体１の背壁１２に取り付けられている状態では、そのファン４が光素子３の後方に位置していると共に、ファンホルダー４１の空気流通口４２が光素子３側に向き、しかも、ファンホルダー４１が磁気テープ装置Ａの後方と光学的ディスク装置Ｂの後方との相互間に亘る横幅を有している。
【００２１】
上記ファンホルダー４１には、電源基板５１を覆う基板カバー５が樹脂で一体成形されていて、この基板カバー５も図１のように筐体１の背壁１２に取り付けられている。
【００２２】
さらに、図２又は図３のように上記遮光板６はフード形に形成されている。そして、図１のように、筐体１の背壁１２に取り付けられたファンホルダー４１の磁気テープ装置Ａ側の端部から延び出て光素子３と空気流通口４２との対向空間を横切る円弧状に曲がった前板部６１とこの前板部６１とファンホルダー４１との間に形成される空気流通路Ｆの上方と下方とを塞ぐ上下の板部６２，６３（図３参照）とにより形成されていて、樹脂で上記ファンホルダー４１に一体成形されている。
【００２３】
一方、図４に示したように、筐体１の背壁１２には通気口１３が開設されていて、この通気口１３が、図２に示したファンホルダー４１の空気流通口４２に連通している。
【００２４】
以上の構成を備えるＡＶ装置において、通気口１３及びファンホルダー４１の空気流通口４２を通過した外光Ｐ（図１参照）は、光素子３と空気流通口４２との対向空間を横切る円弧状に曲がった遮光板６の前板部６１により遮られると共に、遮光板６の上下の板部６２，６３によっても遮られる。そのため、外光Ｐが直進して光素子３に影響を及ぼしたり、あるいは、筐体１の上面や下面などで反射して光素子３に影響を及ぼしたりすることがなくなり、光素子３が外光Ｐの影響によって誤作動するといった事態は起こり得なくなる。この実施形態では、遮光板６を、前板部６１と上下の板部６２，６３とによって形成してあるために、それらの前板部６１の端部と上下の板部６２，６３とファンホルダー４１の前面とによって囲まれた開口が気流吸込口６４として作用する。そのため、筐体１内の空気が図１矢印ａのように気流吸込口６４に吸い込まれた後、その気流吸込口６４から遮光板６の空気流通路Ｆを通過した後、空気流通口４２と通気口１３を経て矢印ｂのように外部に排出されるようになり、そのことが、筐体１内の気流の方向性を定めて発熱源となる制御基板を備えた光学的ディスク装置Ｂに多くの気流を作用させることに役立つ。
【００２５】
図５は他の実施形態によるＡＶ機器に備わっている２機器Ａ，Ｂなどの平面レイアウトを示した説明図、図６はファンユニット７の一部破断平面図、図７はファンユニット７の正面図である。この実施形態では、ファンユニット７の構成が、図２や図３に示したものと相違しているだけであり、その他の構成や磁気テープ装置Ａのレイアウトなどは図１のものと同様である。
【００２６】
この実施形態に採用されているファンユニット７は、遮光板６がファンホルダー４１とは別体になっている。すなわち、遮光板６は、上記したものと同様の形状の前板部６１と上下の板部６２，６３を有することに加えて、ファンホルダー４１に嵌め込まれた枠部６５を有していて、この枠部６５がファンホルダー４１にビス止めされている。６６は取付けビスである。その他の構成は図１〜図４を参照して説明したところと同様であるので、同一又は相応する要素には同一符号を付してある。
【００２７】
この実施形態では、遮光板６がファンホルダー４１とは別体に形成されているけれども、ファンホルダー４１を筐体１の背壁１２に取り付ける前に遮光板６をファンホルダー４１に取り付け、その後、ファンホルダー４１を筐体１の背壁１２に取り付けるという手順を採用すると、遮光板６を具備するファン４を筐体１の背壁１２に取り付けるだけで遮光板６によって光素子３に外光の影響が及ぶことを防ぐことができる。
【００２８】
以上説明した２つの実施形態では、遮光板６が前板部６１と上下の板部６２，６３とを有しているけれども、この点は、前板部６１だけを設けて上下の板部６２，６３を省略することも可能であり、そのような遮光板であっても、前板部６１によって外光が遮断される。また、ファン４が排気用であるものを説明したけれども、吸気用のファンに置き換えることも可能である。
【図面の簡単な説明】
【００２９】
【図１】本考案の実施形態に係るＡＶ機器に備わっている２機器などの平面レイアウトを示した説明図である。
【図２】ファンユニットの一部破断平面図である。
【図３】ファンユニットの正面図である。
【図４】図１のＩＶ矢視拡大図である。
【図５】他の実施形態によるＡＶ機器に備わっている２機器などの平面レイアウトを示した説明図である。
【図６】ファンユニットの一部破断平面図である。
【図７】ファンユニットの正面図である。
【図８】従来例に備わっている２機器などの平面レイアウトを示した説明図である。
【符号の説明】
【００３０】
Ａ  磁気テープ装置
Ｂ  光学的ディスク装置
１  筐体
２，３  光素子
４  ファン
６  遮光板
１２  筐体の背壁
１３  通気口
４１  ファンホルダー
４２  空気流通口
６１  前板部
６２，６３  板部
６４  気流吸込口
Ｆ  空気流通路
Ｓ  磁気テープ装置と光学的ディスク装置との相互間スペース
【図１】
0003129825.tif 000003
【図２】
0003129825.tif 000004
【図３】
0003129825.tif 000005
【図４】
0003129825.tif 000006
【図５】
0003129825.tif 000007
【図６】
0003129825.tif 000008
【図７】
0003129825.tif 000009
【図８】
0003129825.tif 000010